(57)【特許請求の範囲】
【請求項１】
ベースと、このベース上を所定の第１方向に移動可能な移動ステージと、前記移動ステージ上をプレパラートを保持して前記第１方向に直交する第２方向に移動可能な標本ホルダとを有する標本ホルダ付き顕微鏡ステージにおいて、
前記標本ホルダに、該標本ホルダのプレパラート保持位置を跨ぐ第１のプレパラート着脱孔が形成され、
前記移動ステージに、前記標本ホルダが観察位置から外れたときに前記第１のプレパラート着脱孔にほぼ重なる第２のプレパラート着脱孔が形成されていることを特徴とする標本ホルダ付き顕微鏡ステージ。
【請求項２】
前記標本ホルダに、前記第１のプレパラート着脱孔を跨ぎ、前記標本ホルダの一端部からプレパラート保持位置に向かう傾斜部が更に設けられていることを特徴とする請求項１に記載の標本ホルダ付き顕微鏡ステージ。
【請求項３】
前記第２のプレパラート着脱孔の内部に力点が配置され、その作用点が前記プレパラート保持位置の下方に配置された、てこの原理によるプレパラート持ち上げ機構を更に有することを特徴とする請求項１又は２に記載の標本ホルダ付き顕微鏡ステージ。
【請求項４】
前記標本ホルダの前記傾斜部の一端部側に前記標本ホルダの一端から前記傾斜部まで延びるガイドを更に有することを特徴とする請求項２に記載の標本ホルダ付き顕微鏡ステージ。
【発明の詳細な説明】
【０００１】
【発明の属する技術分野】
本発明は、標本ホルダ付き顕微鏡ステージに係り、更に詳しくは、移動ステージ上をプレパラートを保持してステージ移動方向と直交する方向に移動可能な標本ホルダを備えた標本ホルダ付き顕微鏡ステージに関する。
【０００２】
【従来の技術】
従来より、電動ステージ上をプレパラートを保持して移動する標本ホルダ付き顕微鏡電動ステージが知られているが、初期の頃の標本ホルダ付き顕微鏡電動ステージは、標本ホルダに保持されたプレパラートが電動ステージ上を摺動する構造になっていたことから、プレパラートとステージ面との干渉により、プレパラートにＸ，Ｙ，Ｚ３軸方向の位置ずれが生じるという不都合があった。
【０００３】
かかる不都合を改善すべく、最近の標本ホルダ付き顕微鏡電動ステージでは、プレパラートを完全に浮かせた状態（ステージ面に接しない状態）で保持するタイプの標本ホルダが用いられ、プレパラートの位置決め性能の向上が図られている。
【０００４】
図９及び図１０には、この種の標本ホルダ付き顕微鏡電動ステージの一例が示されている。図９は標本ホルダ付き顕微鏡電動ステージ（以下、「顕微鏡電動ステージ」という）１００の概略平面図であり、図１０は図９のＡ−Ａ線断面図である。
【０００５】
この顕微鏡電動ステージ１００は、両向き矢印Ｙで示されるように、Ｙ軸方向に沿って往復移動可能な電動ステージ１０５と、この電動ステージ１０５上でプレパラート１０６を保持して、両向き矢印Ｘで示されるように、Ｙ軸方向に直交するＸ軸方向にガイド１０３に沿って往復移動可能な標本ホルダ１０４とを備えている。ここで、プレパラート１０６は、標本ホルダ１０４によって電動ステージ１０５の上面から上方に所定距離離れた位置で前記電動ステージ１０５表面にほぼ平行に保持されるようになっている（図１０参照）。
【０００６】
ところで、この顕微鏡電動ステージ１００において、プレパラート１０６を標本ホルダ１０４にセットする際には、標本ホルダ１０４の一端部に設けられ、不図示のばねによって常時矢印Ｂ方向に付勢されている押さえ爪１０７の駆動レバー１０８をばねの力に抗して矢印Ｃ方向に回動させて、押さえ爪１０７を反矢印Ｂ方向に移動させる（押さえ爪１０７を広げる）。この状態で、図９に示されるプレパラート保持位置にプレパラート１０６を落とし込んだ後、駆動レバー１０８から手を離す。これにより、押さえ爪１０８がばね力によりＢ方向に移動し、プレパラート１０６が保持位置に保持され、プレパラート１０６のセットが完了する。次いで、電動ステージ１０５及び標本ホルダ１０４が所望の位置まで移動され、プレパラート上の標本の観察が行われる。
【０００７】
一方、顕微鏡観察が終了して後、セットされているプレパラート１０６を標本ホルダ１０４から取り外す場合は、まず、駆動レバー１０８を矢印Ｃ方向に回動させて、押さえ爪１０７を広げ、この状態で、図１０に示されるように指先でプレパラート１０６を掴み、プレパラート１０６を一旦持ち上げた後、プレパラート保持位置から退去させることにより、プレパラート１０６を取り外す方法が取られている。
【０００８】
【発明が解決しようとする課題】
上述した顕微鏡電動ステージ１００と同様のタイプの顕微鏡電動ステージにあっては、プレパラートを完全に浮かせ、かつ、プレパラート保持位置にプレパラートを落とし込む構造が採用されていることから、プレパラートがステージ面上を摺動する従来のタイプに比べて標本ホルダの厚さがより厚くなってしまう。また、顕微鏡観察が終了した直後には、プレパラートの上方に不図示の対物レンズが位置しているので、標本ホルダをこの観察終了位置に位置させたまま、プレパラートの取り付け、取り外しを行う場合には、対物レンズとプレパラートとの間の間隔が狭く、手（指先）を自由に動かすことが困難である。
【０００９】
特に、電動ステージの上下方向（Ｚ方向）の作動距離が短く、もともと手（指先）を自由に動かす範囲が狭い顕微鏡であって、かつ厚さの厚い標本ホルダを使用する顕微鏡の場合、特に高さ方向への手（指先）の動きが制約され、プレパラートの取り付け、取り外しの際の操作性を悪化させることになり、プレパラートの着脱が困難であるという不都合があった。このため、かかる場合には、標本ホルダをプレパラートが対物レンズからほぼ完全に離れる位置まで移動させて、プレパラートとの取り付け、取り外しを行うことは可能であるが、この場合には、プレパラートを標本ホルダに取り付けた（セットした）後、対物レンズ下方の所望の位置まで移動させた後でなければ観察を開始できず、余計な動作と時間が掛かるという不都合があった。また、図１０からも分かるように、この場合であっても、プレパラートは指の先端の部分のみで掴む他なかったため、上手く掴めず途中で落としたりするという不都合もあった。
【００１０】
本発明は、かかる事情の下になされたもので、その目的は、プレパラートの着脱が容易で操作性に優れた標本ホルダ付き顕微鏡ステージを提供することにある。
【００１１】
【課題を解決するための手段】
請求項１に記載の発明は、ベース（１２ｂ）と、このベース（１２ｂ）上を所定の第１方向に移動可能な移動ステージ（１２）と、前記移動ステージ（１２）上をプレパラート（１６）を保持して前記第１方向に直交する第２方向に移動可能な標本ホルダ（１４）とを有する標本ホルダ付き顕微鏡ステージにおいて、前記標本ホルダ（１４）に、該標本ホルダのプレパラート保持位置を跨ぐ第１のプレパラート着脱孔（４２）が形成され、前記移動ステージ（１２）に、前記標本ホルダ（１４）が観察位置から外れたときに前記第１のプレパラート着脱孔（４２）にほぼ重なる第２のプレパラート着脱孔（４６）が形成されていることを特徴とする。
【００１２】
本明細書において、標本ホルダが観察位置から外れたときとは、観察を行っていた位置から標本ホルダが僅かに移動してプレパラート上の標本が顕微鏡の対物レンズの視野内から外れたときを意味する。すなわち、標本ホルダが観察位置から外れたときとは、プレパラートそのものが対物レンズの視野から完全に外れた状態を必ずしも意味するものではない。
【００１３】
これによれば、標本ホルダを僅かに第２方向に移動させることにより、第１のプレパラート着脱孔と第２のプレパラート着脱孔がほぼ重なるので、プレパラート保持位置を跨ぐ第１のプレパラート着脱孔を介して第２のプレパラート着脱孔の内部まで指先を進入させ、プレパラートを指の腹の部分で両側から挟持した状態で掴むことが可能になる。このため、プレパラートをしっかりと掴んだ状態で、標本ホルダから取り外したり、標本ホルダに取り付けたりすることが可能になる。ここで、第１のプレパラート着脱孔が完全に顕微鏡の対物レンズから外れた位置で、第１のプレパラート着脱孔と第２のプレパラート着脱孔がほぼ重なるようにされている場合には、プレパラートの着脱の際に邪魔になる物がなくなる。さらに、標本ホルダの観察位置からの移動量は僅かであるので、プレパラート取付け後に僅かに標本ホルダを移動させるだけでプレパラート上の標本の観察が可能になる。従って、プレパラートの標本ホルダに対する取り付け、取り外しの際の操作性が向上するとともに時間のロスは僅かである。
【００１４】
この場合において、請求項２に記載の発明の如く、前記標本ホルダ（１４）に、第１のプレパラート着脱孔（４２）を跨ぎ、前記標本ホルダ（４２）の一端部からプレパラート保持位置に向かう傾斜部（３７）が更に設けられていることが望ましい。かかる場合には、プレパラートを標本ホルダの一端部から傾斜部に沿ってプレパラート保持位置まで滑らせるようにしてもプレパラートの取付けが可能になり、指先がプレパラートに引っかかる程度の隙間が対物レンズと標本ホルダとの間に存在すれば、プレパラートの取り外しが可能になる。また、この場合には、第１のプレパラート着脱孔と第２のプレパラート着脱孔とがほぼ重なる位置をより対物レンズに近い位置に設定することができるので、プレパラートの標本ホルダに対する取り付け、取り外しの際の操作性が一層向上するとともに時間のロスがより少なくなる。
【００１５】
これらの場合において、請求項３に記載の発明の如く、前記第２のプレパラート着脱孔（４６）の内部に力点（５４）が配置され、その作用点（５６）がプレパラート保持位置の下方に配置された「てこの原理」によるプレパラート持ち上げ機構（５０）を更に有していても良い。かかる場合には、プレパラート持ち上げ機構により、プレパラートを持ち上げることによりプレパラートの取り外しが一層容易になる。
【００１８】
上記請求項２に記載の標本ホルダ付き顕微鏡ステージにおいて、請求項４に記載の発明の如く、前記標本ホルダ（１４）の前記傾斜部（３７）の一端部側に前記標本ホルダの一端から前記傾斜部まで延びるガイド（８２、８１）を更に有することが望ましい。かかる場合には、プレパラートをプレパラート保持位置に保持させる際には、標本ホルダの一端からガイドによりプレパラートを案内しながら傾斜部に載せることができ、プレパラートを取り外す際には、プレパラートを傾斜部に沿って滑らせた後、ガイドに沿って標本ホルダの一端まで案内することができ、プレパラートの着脱がより一層容易になる。
【００１９】
【発明の実施の形態】
《第１の実施形態》
以下、本発明の第１の実施形態を図１ないし図５に基づいて説明する。
【００２０】
図１及び図２には、第１の実施形態に係る標本ホルダ付き顕微鏡ステージとしての標本ホルダ付き顕微鏡電動ステージ（以下、「顕微鏡電動ステージ」という）１０が示されている。この内、図１は顕微鏡電動ステージ１０の概略平面図、図２は図１のＤ−Ｄ線断面図である。
【００２１】
この顕微鏡電動ステージ１０は、ベース１２ｂ（図２参照）と、このベース１２ｂ上を所定の第１方向であるＹ軸方向（図１における紙面内上下方向）に移動可能な移動ステージとしての電動ステージ１２と、この電動ステージ１２上をプレパラート１６を保持してＹ軸方向に直交する第２方向であるＸ軸方向（図１における紙面内左右方向）に移動可能な標本ホルダ１４とを備えている。
【００２２】
電動ステージ１２は、ベース１２ｂ上に固定されているモータ１８を備えたＹ軸駆動機構１９によりＹ軸方向に駆動されるようになっている（図１矢印Ｐ、Ｐ’参照）。
【００２３】
前記標本ホルダ１４は、電動ステージ１２上にＸ方向に沿って形成されたガイド溝２２に沿って往復移動可能なスライダ１７の上面にそのＹ方向の一端がねじ止めされたほぼ矩形の標本ホルダ本体１４ａ、この標本ホルダ本体１４ａに取り付けられたプレパラート押さえ爪（以下、「押さえ爪」という）４０及び該押さえ爪４０の駆動レバー４４等を備えている。
【００２４】
前記スライダ１７は、支持部材１５を介してモータ２０を備えたＸ軸駆動機構２１に連結されている。このＸ軸駆動機構２１は、電動ステージ１２上に固定されている。従って、標本ホルダ本体１４ａは、Ｘ軸駆動機構２１によってスライダ１７と一体的に電動ステージ１２上でＸ軸方向に沿って駆動される（図１矢印Ｑ−Ｑ’参照）とともに、電動ステージ１２と一体的にＹ軸駆動機構１９によりＹ軸方向に駆動されるようになっている。すなわち、標本ホルダ本体１４ａは、ＸＹ２次元方向に自在に移動できるようになっている。
【００２５】
上記のＹ軸駆動機構１９、Ｘ軸駆動機構２１を構成する各モータ１８、２０は、不図示のリモートボックスから内部通信により与えられるスイッチ指令，ジョイスティック指令あるいはトラックボール指令に応じて不図示のコントローラにより制御されるようになっている。また、各モータ１８、２０は、不図示の外部端末からの外部通信によりコントローラを介して制御できるようにもなっている。従って、本実施形態では、標本ホルダ本体１４ａのＸＹ面内位置が、スイッチ指令，ジョイスティック指令、トラックボール指令あるいは外部端末からの外部通信によって制御される。
【００２６】
標本ホルダ本体１４ａは、その中央部にほぼ矩形の開口部２３が形成された矩形枠状の上面板１４ｂと、その下面に密着された下面板１４ｃとから成る２層構造になっている。下面板１４ｃには、Ｘ方向に細長くプレパラート１６とほぼ同形状に形成され、プレパラート保持位置を規定するためのプレパラート保持孔２５と、このプレパラート保持孔２５を跨いでＹ方向に細長く形成された第１のプレパラート着脱孔としての標本ホルダプレパラート着脱孔４２とが形成されている。この場合、プレパラート保持孔２５と標本ホルダプレパラート着脱孔４２とは連通している。
【００２７】
プレパラート保持孔２５の長手方向（Ｘ方向）の一端側（図１における左端側）、他端側（図１における右端側）には、プレパラート１６の一端側短辺１６ｂ、他端側短辺１６ｃをそれぞれ載せるように段差状に形成された第１、第２のプレパラート保持部３２、３６が形成されている。
【００２８】
また、プレパラート保持孔２５の長手方向に直交する方向（以下、便宜上「長手直交方向」と呼ぶ）の一端側（図１における紙面内上側）の長手方向の両端部には、プレパラート１６の一端側長辺１６ａが当接可能な第１、第２の当接爪２４、２６が、それぞれ突出形成されている。更に、前記第１のプレパラート保持部３２の段差部の上側の側壁は、プレパラート１６の一端側短辺１６ｂが当接可能な第３の当接爪３０とされている。
【００２９】
前記押さえ爪４０は、下面板１４ｃのＸ軸方向の他端部に斜めに形成されたガイド溝２７に沿って矢印Ｂ、Ｂ’で示されるように移動可能になっている。この押さえ爪４０は、不図示のばね（ここでは、ぜんまい等の巻きばねが用いられる）によって、常時、矢印Ｂ方向に付勢されている。このため、プレパラート１６を第１、第２のプレパラート保持部３２、３６に載せ、第１ないし第３の当接爪２４，２６，３０に当接させたとき、プレパラート１６の当接爪２４，２６，３０とは反対側の角部１６ｅを、当接爪２４，２６，３０方向に押圧するようになっている。この結果、プレパラート１６は、押さえ爪４０と３つの当接爪２４，２６，３０とによって挟持される。また、押さえ爪４０は、駆動レバー４４に連結されており、このレバー４４をばねの付勢力に抗して支軸４４Ａを中心に矢印Ｃ方向（図１における反時計回り方向）に回動させることにより、押さえ爪４０は矢印Ｂ方向と反対方向である矢印Ｂ’方向に移動するようになっている。
【００３０】
さらに、標本ホルダ本体１４ａのＹ方向の他端部（図１における紙面内下端部）のＸ方向に離れた両端部には、標本ホルダ本体１４ａの電動ステージ１２の面からの高さを調整可能な支持機構２９が各１つ設けられている。各支持機構２９のそれぞれの先端のみが電動ステージ１２に接触している。この場合、前述したごとく、標本ホルダ本体１４ａのＹ方向の一端はスライダ１７の上面にねじ止めされているので、前記２つの支持機構２９の電動ステージ１２の面からの高さをそれぞれ調整することにより、結果的に標本ホルダ本体のＸＹ面内の歪を補正することができる。
【００３１】
さらに、本第１の実施形態では、標本ホルダ本体１４ａを構成する下面板１４ｃにはプレパラート保持孔２５からＹ方向他端（図１における紙面内下端部）３８に向けてなだらかな傾斜部３７が形成されている（図２参照）。この傾斜部３７は、図１に示されるように、標本ホルダプレパラート着脱孔４２を跨いで形成されている。また、この傾斜部３７のＹ方向他端部側には平坦部３７ａが形成されている（図２参照）。傾斜部３７と平坦部３７ａとの境目の部分から標本ホルダ本体１４ａの他端にかけて、そのＸ方向一側（図１における左側）に当接爪３０と同一面（面一）の第１のガイド面８１と第２のガイド面８２とが連続的に形成されている。すなわち、本実施形態では第２のガイド面８２と第１のガイド面８１とによって、標本ホルダ１４の一端から傾斜部３７まで延びるガイドが形成されている。このため、後述するようにプレパラート１６を傾斜部３７に沿って滑らせながらプレパラート保持位置に移動させる際に、標本ホルダ本体１４ａのＹ方向他端３８から第２のガイド面８２、第１のガイド面８１に沿ってプレパラート１６を案内しながら平坦部３７ａ上を滑らせることにより、容易にプレパラート１６を傾斜部３７上まで導くことができるようになっている。
【００３２】
また、本第１の実施形態では、電動ステージ１２のＸ方向一端部近傍で対物レンズＯＬの外周より所定距離離れた位置には、標本ホルダ本体１４ａの標本ホルダプレパラート着脱孔４２と同程度の大きさの第２のプレパラート着脱孔としてのステージプレパラート着脱孔４６が穿設されている。このため、標本ホルダプレパラート着脱孔４２とステージプレパラート着脱孔４６とがほぼ重なった状態では、標本ホルダプレパラート着脱孔４２を介してステージプレパラート着脱孔４６の内部にまで指先を挿入することができるようになっている。
【００３３】
次に、上述のようにして構成された本第１の実施形態に係る顕微鏡電動ステージ１０におけるプレパラート１６の着脱動作を図３ないし図５を参照して説明する。
【００３４】
最初に、プレパラート１６を標本ホルダ１４に保持させる場合について説明する。この場合、まず、不図示のリモートボックスからの内部通信又は外部端末からの外部通信による指令によりモータ２０を制御し、標本ホルダ１４をＸ軸駆動機構２１を介して標本ホルダプレパラート着脱孔４２とステージプレパラート着脱孔４６とがほぼ一致する位置（図４に示される位置）まで移動させてその位置に停止させる。
【００３５】
そして、プレパラート１６を片手に持ち、もう片方の手で駆動レバー４４をばねの力に抗して矢印Ｃ方向に回動して保持する。この時、押さえ爪４０は、矢印Ｂ’方向に移動し、プレパラート１６に対する押圧力が開放された状態となる。
【００３６】
次いで、プレパラート１６を標本ホルダ本体１４ａのＹ軸方向他端から差込み、図３（ａ）中に仮想線１６’で示されるように、第１、第２のガイド面沿ってプレパラート１６の長手直交方向の一端面１６ｂをスライドさせながら矢印Ｅ方向に平坦部３７ａ上を滑らせることにより、プレパラート１６が第２、第１のガイド面８２、８１に案内されてプレパラート１６の長辺１６ａ側が容易に傾斜部３７上に導かれる。そして、更に図３（ａ）中の矢印Ｅ方向にプレパラート１６を指先で押すことにより、プレパラート１６を標本ホルダ本体１４ａの平坦部３７ａ側からプレパラート保持孔２５、即ちプレパラート保持位置に向かって傾斜部３７に沿って滑らせ、プレパラート１６の長辺１６ａ側を第１、第２のプレパラート保持部３２、３６に載せる。続いて、プレパラート保持部３２、３６上でプレパラート１６をさらに矢印Ｅ方向に押し進め（図４参照）、第１ないし第３の当接爪２４，２６，３０に当接させた後、駆動レバー４４を解放する。これにより、ばねの力によって押さえ爪４０がＢ方向に移動して、該押さえ爪４０によりプレパラート１６の角部１６ｅが押圧される。この結果、前述の如く、プレパラート１６は、押さえ爪４０と３つの当接爪２４，２６，３０とによって挟持される（保持される）。
【００３７】
ここで、傾斜部３７に沿ってプレパラート１６を滑らせる際に、押さえ爪４０の先端にプレパラート１６を当て、プレパラート１６を押す指先の力で駆動レバー４４をばねの力に抗して矢印Ｃ方向に回動させて標本ホルダ１４にプレパラートをセットするようにしても良い。このようにすれば、直接、駆動レバー４４を操作することなく、プレパラート１６を押さえ爪４０と第１ないし第３の当接爪２４，２６，３０との間に保持させることができる。
【００３８】
次に、顕微鏡観察が終了した後、プレパラート１６を標本ホルダ１４から取り外す場合について説明する。この場合、まず、不図示のリモートボックスからの内部通信又は外部端末からの外部通信による指令によりモータ２０を制御し、標本ホルダ１４をＸ軸駆動機構２１を介して標本ホルダプレパラート着脱孔４２とステージプレパラート着脱孔４６とがほぼ一致する位置（図４に示される位置）まで移動させてその位置に停止させる。
【００３９】
そして、図３（ｃ）及び図５に示されるように、標本ホルダプレパラート着脱孔４２を介してステージプレパラート着脱孔４６の内部に手（指先）を挿入しプレパラート１６を指の腹で摘み、もう片方の手で駆動レバー４４をばねの力に抗して矢印Ｃ方向に回動させて、押さえ爪４０によるプレパラート１６に対する押圧力を解除する。
【００４０】
次いで、図３（ｂ）に示されるように、第１、第２のプレパラート保持部３２，３６に載っているプレパラート１６を掴み上げ、図３（ｂ）中の矢印Ｅ’で示されるように、プレパラート保持部３２，３６から傾斜部３７の方向に移動させて傾斜部３７にプレパラート１６の長辺１６ａと反対側の長辺部を載せ、続いて図３（ａ）中の矢印Ｅ’で示されるように、プレパラート１６を傾斜部３７に沿って標本ホルダ本体１４ａのＹ方向他端３８に向けて滑らせる。そして、更にプレパラート１６を第１、第２のガイド面８１、８２に沿ってスライドさせながら矢印Ｅ’方向に平坦部３７ａ上を滑らせて、標本ホルダ１４ａからプレパラート１６を取り外す（図４参照）。このプレパラート１６の取り外しの際に、プレパラート１６が第１、第２のガイド面８１、８２に案内されるので、プレパラート１６の取り外しが極めて容易である。そして、駆動レバー４４を解放する。
【００４１】
以上説明したように、本第１の実施形態の顕微鏡電動ステージ１０によると、標本ホルダ１４を僅かにＸ方向に移動（図１の位置から図４の位置へ移動）させることにより、標本ホルダプレパラート着脱孔４２とステージプレパラート着脱孔４６とがほぼ重なるので、プレパラート保持位置にあるプレパラート１６を跨ぐ標本ホルダプレパラート着脱孔４２を介してステージプレパラート着脱孔４６の内部まで指先を進入させ、図３（ｃ）に示されるように、プレパラート１６を指の腹の部分で両側から挟持した状態で掴むことが可能になる。このため、着脱の際に、プレパラート１６をしっかりと掴むことができ、途中で落としたりし難くなる。
【００４２】
また、本第１の実施形態では、標本ホルダプレパラート着脱孔４２が完全に顕微鏡の対物レンズＯＬから外れた位置で、標本ホルダプレパラート着脱孔４２とステージプレパラート着脱孔４６とがほぼ重なるようになっているので、プレパラート１６の着脱の際に邪魔になる物がなくなる。さらに、図１と図４とを比較すると明らかなように、標本ホルダ１４の観察位置からの移動量は僅かであるので、観察終了後及びプレパラート取付け後に僅かに標本ホルダ１４を移動させるだけで、プレパラート１６の取り外し及びプレパラート１６上の標本の観察が可能になる。従って、プレパラート１６の標本ホルダ１４に対する取り付け、取り外しの際の操作性が向上するとともに標本ホルダの移動に伴う時間のロスは僅かである。
【００４３】
また、標本ホルダ１４に、標本ホルダプレパラート着脱孔４２を跨ぎ、標本ホルダ４２の端部３８とプレパラート保持位置との間を結ぶ傾斜部３７に沿ってプレパラート滑らせることにより、プレパラート１６の取り付け及び取り外しが行えるので、プレパラート１６の標本ホルダ１４に対する取り付け、取り外しが非常に容易なものとなっている。本実施形態のように、標本ホルダ４２の端部３８とプレパラート保持位置との間を結ぶ傾斜部３７が設けられている場合、必ずしもプレパラート１６を掴み上げる必要がないので、指先がプレパラート１６に引っかかる程度の隙間が対物レンズＯＬと標本ホルダ１４との間に存在すれば、プレパラート１６の取り付けは勿論、プレパラートの取り外しが可能である。従って、標本ホルダプレパラート着脱孔４２とステージプレパラート着脱孔４６とがほぼ重なる位置をより対物レンズＯＬにより近い位置に設定しても良く、このようにした場合には、標本ホルダ移動のための時間のロスがより少なくなる。
【００４４】
《第２の実施形態》
次に、本発明の第２の実施形態について図６ないし図８に基づいて説明する。ここで、前述した第１の実施形態と同一若しくは同等の構成部分については同一の符号を用いるとともに、その説明を簡略にし若しくは省略するものとする。
【００４５】
図６には、本第２の実施形態に係る標本ホルダ付き顕微鏡ステージとしての顕微鏡電動ステージ８０の主要部の構成が示されている。この顕微鏡電動ステージ８０は、電動ステージ１２のステージプレパラート着脱孔４６の底部に所定厚さの底板部４６ａが形成され、この底板部４６ａの上部に、てこの原理を用いたプレパラート持ち上げ機構５０が設けられている点に特徴を有する。
【００４６】
このプレパラート持ち上げ機構５０は、図７に取り出して示されるように、門形の土台部５１と、この土台部５１の上板に上下方向に移動可能に取り付けられたＴ字状のプレパラート持ち上げ部材５８と、このプレパラート持ち上げ部材５８の下端にその一端５６が接触した回動アーム５５と、この回動アーム５５の支点５２が設けられたアーム支持部材５７とを備えている。この内、土台部５１とアーム支持部材５７とが、底板部４６ａに固定されている。このプレパラート持ち上げ機構５０では、回動アーム５５の他端５４を図７の矢印Ｚで示されるように、下方に押圧する（押し下げる）と、回動アーム５５が支点５２を中心に回動してその一端５６が図７の矢印Ｚ’で示されるようにプレパラート持ち上げ部材５８を上方に持ち上げるようになっている。すなわち、このプレパラート持ち上げ機構５０は、アーム支持部材５７によって軸支された回動アーム５５から成るてこを利用しており、回動アーム５５の他端５４が力点を構成し、支点５２が支点を構成し、回動アーム５５の一端５６に作用点を構成している。この場合、図６からもわかるように、作用点を構成する回動アーム５５の一端５６はプレパラート保持位置の下方に配置されている。
【００４７】
その他の部分の構成は、前述した第１の実施形態と同様になっている。
【００４８】
図８（ａ）〜（ｄ）には、本第２の実施形態の顕微鏡電動ステージ８０におけるプレパラート１６を標本ホルダ１４から取り除く際の動作の流れが視覚的に示されている。以下、この図８を参照しつつプレパラート１６を標本ホルダ１４から取り外す（取り除く）際の手順について説明する。
【００４９】
まず、第１の実施形態と同様して、標本ホルダ１４を標本ホルダプレパラート着脱孔４２とステージプレパラート着脱孔４６とがほぼ一致する位置に移動させその位置に停止させる。そして、図８（ａ）に示されるように、標本ホルダプレパラート着脱孔４２を介してステージプレパラート着脱孔４６の内部に手（指先）を挿入し、もう片方の手で駆動レバー４４をばねの力に抗して回動させて、押さえ爪４０によるプレパラート１６に対する押圧力を解除した後、指先によってプレパラート持ち上げ機構５０の力点、即ち回動アーム５５の一端５４を押し下げる。これによって、作用点を構成する回動アーム５５の他端５６が上方に移動し、プレパラート持ち上げ部材５８が持ち上げられ、このプレパラート持ち上げ部材５８によってプレパラート１６が持ち上げられる。
【００５０】
次いで、図８（ｂ）に示されるように、プレパラート１６を掴み上げ、図８（ｃ）に示されるように、傾斜部３７の方向に移動させて傾斜部３７にプレパラート１６の長辺の一部を載せ、図８（ｄ）に示されるように、プレパラート１６を傾斜部３７に沿って標本ホルダ本体１４ａの端部３８に向けて滑らせて、標本ホルダ１４ａから取り外す。そして、駆動レバー４４を解放する。
【００５１】
この一方、プレパラート１６をセットする場合、第１の実施形態と同様にして行われる。
【００５２】
以上説明した本第２の実施形態の顕微鏡電動ステージ８０によると、前述した第１の実施形態と同等の効果を得られる他、てこの原理を利用したプレパラート押し上げ機構５０の機能により一層容易にプレパラート１６を取り外すことが可能になり、その際の操作性が更に向上する。
【００５３】
なお、上記第１、第２の実施形態では、プレパラート着脱孔４２、４６に加えて、傾斜部３７をも設けた場合について説明したが、本発明がこれに限定されることはなく、第１、第２のプレパラート着脱孔のみ、あるいは傾斜部のみを設けても、それぞれの構成部分としての前述した効果を発揮するので、従来例に比べてプレパラート取付け、取り外しの際の操作性が向上することは勿論である。
【００５４】
また、これまでの説明では、プレパラートの位置決め性能については特に説明していないが、上記第１、第２の実施形態の顕微鏡電動ステージでは、プレパラートを電動ステージ面から完全に浮かせて保持する標本ホルダが用いられていることからステージ面とプレパラートとの干渉がないので、位置決め性能が良好であることは勿論である。
【００５５】
なお、上記第１、第２の実施形態では、本発明が標本ホルダ付き電動顕微鏡ステージに適用された場合について説明したが、本発明の適用範囲がこれに限定されることはなく、標本ホルダを移動ハンドルにより手動で駆動するタイプの顕微鏡にも本発明は好適に適用できるものである。
【００５６】
【発明の効果】
以上説明したように、請求項１に記載の発明によれば、プレパラートの標本ホルダに対する取り付け、取り外しの際の操作性が向上するとともに時間のロスは僅かであるという従来にない優れた効果がある。
【００５７】
また、請求項２に記載の発明によれば、傾斜部の機能により、請求項１に記載の発明に比べてもプレパラートの標本ホルダに対する取り付け、取り外しの際の操作性が一層向上するとともに時間のロスがより少なくなる。
【００５８】
また、請求項３に記載の発明によれば、上記請求項１及び２に記載の発明の効果に加え、プレパラート持ち上げ機構により、プレパラートを持ち上げることによりプレパラートの取り外しが一層容易になるという効果がある。
【００６０】
また、請求項４に記載の発明によれば、プレパラートの標本ホルダへの取付け、取り外しの際に、ガイドに沿ってプレパラートを案内することができるので、プレパラートの着脱が一層容易で、操作性が一層向上する。
【図面の簡単な説明】
【図１】第１の実施形態の顕微鏡電動ステージを概略的に示す平面図である。
【図２】図１のＤ−Ｄ線概略断面図である。
【図３】第１の実施形態の顕微鏡電動ステージにおけるプレパラートの取り付け、取り外しの際の作業を説明するための図である（（ａ）〜（ｃ））。
【図４】第１の実施形態の顕微鏡電動ステージにおけるプレパラート着脱時にプレパラートを傾斜部に沿って滑らせる際の様子を示す概略平面図である。
【図５】第１の実施形態の顕微鏡電動ステージにおけるプレパラート着脱時にプレパラートを掴む様子を示す概略平面図である。
【図６】第２実施例の顕微鏡電動ステージの主要部を示す断面図である。
【図７】図６のプレパラート持ち上げ機構を取り出して示す図である。
【図８】第２の実施形態の顕微鏡電動ステージにおけるプレパラートを標本ホルダから取り除く際の動作の流れを視覚的に示す図である。
【図９】従来例を示す概略平面図である。
【図１０】図９のＡ−Ａ線断面図である。
【符号の説明】
１０  顕微鏡電動ステージ（標本ホルダ付き顕微鏡ステージ）
１２  電動ステージ（移動ステージ）
１２ｂ  ベース
１４  標本ホルダ
１６  プレパラート
３７  傾斜部
４２  標本ホルダプレパラート着脱孔（第１のプレパラート着脱孔）
４６  電動ステージプレパラート着脱孔（第２のプレパラート着脱孔）
５０  プレパラート持ち上げ機構
５４  力点
５６  作用点
８０  顕微鏡電動ステージ（標本ホルダ付き顕微鏡ステージ）
８１  第１のガイド面（ガイドの一部）
８２  第２のガイド面（ガイドの一部）
【図１】
0003856171.tif 000002
【図２】
0003856171.tif 000003
【図３】
0003856171.tif 000004
【図４】
0003856171.tif 000005
【図５】
0003856171.tif 000006
【図６】
0003856171.tif 000007
【図７】
0003856171.tif 000008
【図８】
0003856171.tif 000009
【図９】
0003856171.tif 000010
【図１０】
0003856171.tif 000011